(57)【特許請求の範囲】
【請求項１】
開口部を開閉する開閉体としての上吊式引戸の引戸本体（４）を移動可能にして吊り下げ支持する駆動ユニットとしてのガイドレール（１３）、および前記駆動ユニットとしてのガイドレール（１３）を固定する固定体を有する上吊引戸（１）としての上吊式開閉装置と、
前記ガイドレール（１３）あるいは前記固定体の何れか一方に長手方向に沿って複数併設され、大径穴と小径穴とが連通された取付穴部（２５）と、
前記ガイドレール（１３）あるいは前記固定体の何れか他方に前記各取付穴部（２５）に対応して複数設けられ、前記小径穴に挿通される柱部（２６ａ）の端部に、前記大径穴に挿通されるとともに前記小径穴に係止される頭部（２６ｂ）を有し、また、前記柱部（２６ａ）の前記頭部（２６ｂ）と相反する側の端部に板状の係止部（２６ｃ）を有し、該係止部（２６ｃ）には先端を頭部（２６ｂ）側に立ち上げてなるバネ材（２６ｄ）が設けられた係止部材（２６）と、
前記ガイドレール（１３）あるいは前記固定体の何れか他方に設けられ、前記係止部（２６ｃ）を挿通係止して前記柱部（２６ａ）および頭部（２６ｂ）を表出させる長手状の溝部（２７）と、
前記係止部（２６ｃ）を前記溝部（２７）に対して固定する固定手段と、
を備え、前記各取付穴部（２５）に前記各係止部材（２６）を係止して前記ガイドレール（１３）を前記固定体に取り付け、互いに取り付けられた前記ガイドレール（１３）と前記固定体との間に前記バネ材（２６ｄ）が介在されていることを特徴とする上吊引戸の取付構造。
【請求項２】
前記固定手段は、前記係止部（２６ｃ）を挟むように前記溝部（２７）に螺着される少なくとも二つの固定ネジ（２８）からなることを特徴とする請求項１に記載の上吊引戸の取付構造。
【請求項３】
前記溝部（２７）は、前記係止部（２６ｃ）を挿通係止する鍔部（２７ａ）を対向して配しており、前記固定手段は、前記鍔部（２７ａ）の一部をかしめるようにして形成したことを特徴とする請求項１に記載の上吊引戸の取付構造。
【請求項４】
前記ガイドレール（１３）が前記引戸本体（４）の閉鎖側に下り傾斜して取り付けられ、前記取付穴部（２５）の大径穴（２５ａ）が傾斜の上流側に設けられ、小径穴（２５ｂ）が傾斜の下流側に設けられていることを特徴とする請求項１乃至３のいずれか１項記載の上吊引戸の取付構造。
【発明の詳細な説明】
【０００１】
【発明の属する技術分野】
本発明は、構成要素間を着脱可能にして取り付ける取付構造に関するものである。
【０００２】
【従来の技術】
例えば、上吊式開閉装置としての上吊引戸では、構成要素の一方である上枠内に、構成要素の他方である引戸機構および開閉体としての引戸本体が取り付けられている。引戸機構は、水平なレールと、このレールに沿って水平移動可能に支持される支持部材とを有している。引戸本体は、支持部材に取り付けられる。
【０００３】
従来、上記各構成要素間を取り付ける取り付け構造は、引戸機構を上枠に複数箇所でネジ止めし、その後、引戸機構の支持部材に引戸本体を複数箇所でネジ止めしている。
【０００４】
【発明が解決しようとする課題】
しかしながら、上述した従来の取付構造では、複数箇所のネジ止めによる取り付けのため、取り付け作業に手間がかかり、また、メンテナンスや各構成要素の交換時の取り外し作業にも手間がかかっていた。
【０００５】
特に、上吊引戸は、上側にて行う作業が多く、且つ、各構成要素を支えながらの作業となるために作業に手間がかかっていた。
【０００６】
そこで本発明は、上記課題を解消するために、各構成要素間の着脱作業の作業性を向上することができる取付構造を提供することを目的としている。
【０００７】
【課題を解決するための手段】
上記目的を達成するため本発明による請求項１記載の取付構造は、
開口部を開閉する開閉体としての上吊式引戸の引戸本体４を移動可能にして吊り下げ支持する駆動ユニットとしてのガイドレール１３、および前記駆動ユニットとしてのガイドレール１３を固定する固定体を有する上吊引戸１としての上吊式開閉装置と、
前記ガイドレール１３あるいは前記固定体の何れか一方に長手方向に沿って複数併設され、大径穴と小径穴とが連通された取付穴部２５と、
前記ガイドレール１３あるいは前記固定体の何れか他方に前記各取付穴部２５に対応して複数設けられ、前記小径穴に挿通される柱部２６ａの端部に、前記大径穴に挿通されるとともに前記小径穴に係止される頭部２６ｂを有し、また、前記柱部２６ａの前記頭部２６ｂと相反する側の端部に板状の係止部２６ｃを有し、該係止部２６ｃには先端を頭部２６ｂ側に立ち上げてなるバネ材２６ｄが設けられた係止部材２６と、
前記ガイドレール１３あるいは前記固定体の何れか他方に設けられ、前記係止部２６ｃを挿通係止して前記柱部２６ａおよび頭部２６ｂを表出させる長手状の溝部２７と、
前記係止部２６ｃを前記溝部２７に対して固定する固定手段と、
を備え、前記各取付穴部２５に前記各係止部材２６を係止して前記ガイドレール１３を前記固定体に取り付け、互いに取り付けられた前記ガイドレール１３と前記固定体との間に前記バネ材２６ｄが介在されていることを特徴とする。
【０００８】
請求項２記載の取付構造は、請求項１記載の取付構造において、前記固定手段は、前記係止部２６ｃを挟むように前記溝部２７に螺着される少なくとも二つの固定ネジ２８からなることを特徴とする。
【０００９】
請求項３記載の取付構造は、請求項１記載の取付構造において、前記溝部２７は、前記係止部２６ｃを挿通係止する鍔部２７ａを対向して配しており、前記固定手段は、前記鍔部２７ａの一部をかしめるようにして形成したことを特徴とする。
【００１０】
請求項４記載の取付構造は、請求項１乃至３のいずれか１項記載の上吊引戸の取付構造において、前記ガイドレール１３が前記引戸本体４の閉鎖側に下り傾斜して取り付けられ、前記取付穴部２５の大径穴２５ａが傾斜の上流側に設けられ、小径穴２５ｂが傾斜の下流側に設けられていることを特徴とする。
【００１３】
【発明の実施の形態】
以下、本発明の実施の形態を図面を参照して具体的に説明する。
図１は本発明の取付構造が採用された上吊式開閉装置である上吊引戸を示す斜視図、図２は取付構造を示す図１中のＡ−Ａ線拡大断面図、図３は図２中のＢ−Ｂ線一部断面図、図４は取付構造を示す分解斜視図、図５（ａ）（ｂ）は固定手段を示す図である。
【００１４】
最初に、本発明の取付構造が採用された上吊引戸１について説明する。
図１に示すように、上吊引戸１は、開閉装置の一種であり、開口部２を開閉するため、開口部２の開口上縁２ａに配される固定体としての枠体の一部を構成する上枠３に、開閉体としての板状の引戸本体４を吊り下げてなる。引戸本体４は、上枠３に沿って図１に示す矢印方向に水平移動する。引戸本体４は、上記移動に伴い、戸先が開口部２の開口側縁２ｂに設けられた縦枠５ａに当接して閉鎖状態となり、戸尻が建物壁部に設けられた縦枠５ｂに当接して図１に示す開放状態となる。また、引戸本体４の戸先側には、把手６が設けられている。なお、図１で示す上吊引戸１は、引戸本体４が表出された片引きの構成であるが、その他、引戸本体４を不図示の戸袋に収納できる構成や、引き分けの構成のものもある。上述した上吊引戸１によれば、床面にレールがないため、出入りの際の躓きがなく、且つ、車椅子やストレッチャーなどの通過をスムーズに行うことが可能である。
【００１５】
また、上述の上吊引戸１は、引戸本体４を吊り下げる上枠３に引戸本体４を吊り下げ、且つ、水平移動させるための機構が収納されている。この機構には、自動開閉型や、手動開閉型がある。また、手動開閉型には、自閉機構や、閉じ始めや閉じきる手前でゆっくり閉じる機構などがある。本実施の形態では、自動開閉型の一つであるリニアモータ駆動を一例としている。
【００１６】
図２に示すように、上枠３は、建物躯体の開口上縁２ａにネジなどで固定され開口部２の幅方向にわたって長尺に形成され、固定枠１０と、カバー１１とからなる。固定枠１０は、主に開口上縁２ａに固定される垂直板１０ａと、上枠３の上面を構成する水平板１０ｂを有して、上枠３の下側および正面側を開放している。カバー１１は、固定枠１０の正面側を閉塞する板体であり、固定枠１０に着脱可能にして取り付けられて、上枠３の下側のみを開放している。また、固定枠１０内には、垂直板１０ａに平行する取付板１２ａと、水平板１０ｂに平行する取付板１２ｂとにより、固定枠１０の長手方向に沿って長手状の枠体の一部を構成する内枠１２をなす。なお、内枠１２は、取付板１２ａ，１２ｂが一体の板金で構成されていてもよい。
【００１７】
内枠１２には、ガイドレール１３が取り付けられている。ガイドレール１３は、非磁性材質となるようにアルミ型材からなり、上枠３に沿って長手状に形成されている。ガイドレール１３は、下側に開口する断面略コ字状をなしている。ガイドレール１３の内部奥方（上方）には、長手方向に沿うようにして対向する各凹溝１３ａが形成されている。各凹溝１３ａ間には、長手状のベース板１４が挿通して取り付けられている。このベース板１４の下面には、駆動機構をなすコイル１５がベース板１４の長手方向に沿って所定間隔で複数設けられている。このコイル１５は、不図示の駆動回路に接続されている。
【００１８】
ガイドレール１３の開口内壁には、長手方向に沿うようにして対向する各レール部１３ｂが形成されている。各レール部１３ｂは、ガイドレールの内方に延設されて、上下に対向する上支持片と下支持片とを有している。上支持片と下支持片の対向面は凹状に湾曲形成されている。そして各レール部１３ｂの上下支持片の間には、それぞれ周面が凸状に湾曲形成されたローラ１６が長手方向に転動可能にして設けられている。対向する各ローラ１６は、回転軸１７の各端部に回転可能にして支持されている。回転軸１７は、吊下部材１８に固定されている。この吊下部材１８には、上記回転軸１７およびローラ１６が複数設けられている。吊下部材１８は、各ローラ１６が各レール部１３ｂに設けられることにより、各ローラ１６がレール部１３ｂを転動することでガイドレール１３内にて長手方向に移動可能にして配される。
【００１９】
吊下部材１８は、非磁性材質となるようにアルミ型材からなり、断面略Ｔ字状に形成され上枠３に沿って長手状に形成されている。吊下部材１８は、その上端がガイドレール１３の内部奥方（上方）に至り、下端がガイドレール１３の開口より鉛直方向に延出するように配置される。吊下部材１８の上端には、長手方向に沿うようにして開口幅狭めるように対向する各鍔片１９ａを有した保持溝１９が形成されている。保持溝１９には、長手状のヨーク板２０が各鍔片１９ａによって保持されながら挿通して取り付けられている。このヨーク板２０は、鉄などの磁性体からなり、その上面の長手方向に沿って、例えばネオジウムあるいはフェライトなどからなる磁石２１が磁着されている。この磁石２１は、上述のコイル１５に対し、所定のエアギャップを隔てて対向配置される。
【００２０】
吊下部材１８の下端には、ブラケット２２を介して引戸本体４の上端が取り付けられている。このブラケット２２は、引戸本体４の幅長に応じて少なくとも左右側端縁近傍の二箇所に配設され、水平板２２ａに垂直な固定片２２ｂを有してなる。そして、ブラケット２２は、水平板２２ａが引戸本体４の上端にネジなどの固定具で固定され、吊下部材１８の下端を各固定辺片２２ｂにボルトなどの固定支持手段による固定、あるいは各種係止支持手段（不図示）による係止などにより、吊下部材１８と引戸本体４とを連結する。
【００２１】
そして、不図示の駆動回路によってコイル１５が通電駆動されると、磁石２１を有した吊下部材１８がガイドレール１３のレール部１３ｂに沿って水平移動することにより引戸本体４が図１の矢印方向に水平移動する。このように、ガイドレール１３は、引戸本体４を吊り下げ、且つ、引戸本体４を水平移動させる駆動機構を共に備えた駆動ユニットをなしている。この駆動ユニットは、少なくとも引戸本体４を吊り下げて移動可能に支持する構成であればよい。
【００２２】
なお、図示しないが、引戸本体４の戸先側の板面や、建物躯体側の開口部２の近傍の壁面に、シートスイッチなどが設けられたり、引戸本体４の近傍（例えば天井など）に光学式などの人体検知センサが設けられることにより、引戸本体４の開閉駆動の開始および停止などが行われる。
【００２３】
また、上述の上吊引戸１は、リニアモータ駆動の駆動機構を有した自動開閉型の一つを一例としているが、他の駆動機構（例えばギヤ駆動あるいはベルト駆動など）を有した自動開閉型の場合には、ガイドレール１３にその駆動機構がユニット化される。また、手動開閉型には、コイル１５および磁石２１などの構成が無く、あるいは、その代わりに自閉機構（バネ機構など）や、閉じ始めや閉じきる手前でゆっくり閉じる機構（油圧機構など）がガイドレール１３にユニット化される。
【００２４】
以下、上述した上吊引戸１における取付構造を説明する。
図２乃至図４に示すように、内枠１２の取付板１２ｂには、取付穴部２５が穿設されている。取付穴部２５は、円形の大径穴２５ａと小径穴２５ｂとが連通して、いわゆるダルマ形穴をなしている。取付穴部２５は、取付板１２ｂの長手方向に沿って複数併設され、且つ、大径穴２５ａと小径穴２５ｂが連通する方向をそれぞれ同方向に向けて設けられている。図４に示すように、本実施の形態では、大径穴２５ａと小径穴２５ｂが連通する方向を、取付板１２ｂの長手方向に向けて設けているが、この長手方向に直交あるいは斜めに交わる方向であってもよい。なお、本実施の形態では、取付穴部２５が設けられた取付板１２ｂを構成要素の一方とする。
【００２５】
ガイドレール１３の上面には、係止手段としての係止部材２６が配設されている。係止部材２６は、小径穴２５ｂに挿通される径の円柱状の柱部２６ａの端部に、大径穴２５ａに挿通されて小径穴２５ｂに係止される円板状の頭部２６ｂを有している。また、柱部２６ａの頭部２６ｂと相反する側の端部には、板状の係止部２６ｃが設けられている。係止部２６ｃには、先端を頭部２６ｂ側に立ち上げてなる弾性部材としてのバネ材２６ｄが設けられている。
【００２６】
ガイドレール１３の上面には、その長手方向に沿って溝部２７が設けられている。溝部２７は、係止部材２６の係止部２６ｃを挿通係止する鍔片２７ａを対向して配している。溝部２７は、係止部２６ｃを挿通係止した際、各鍔片２７ａの間から柱部２６ａ，頭部２６ｂ，バネ片２６ｄを表出させる。即ち、柱部２６ａとバネ片２６ｄは、各鍔片２７ａの間隔よりも小なる幅である。
【００２７】
また、溝部２７に挿通係止された係止部材２６は、固定手段によって溝部に対して固定される。図５（ａ）に示すように、固定手段は、溝部２７に螺着される固定ネジ２８からなる。この場合、少なくとも二つの固定ネジ２８を溝部２７に対して螺着させて係止部２６ｃを挟むことにより係止部材２６を溝部２７の長手方向に移動しないように固定する。
【００２８】
図５（ｂ）に示すように、固定手段は、鍔部２７ａの一部をかしめるようにした固定片２９として構成されていてもよい。この場合、固定片２９は、切欠き２９ａによって各鍔部２７ａの一部が片状に形成され、溝部２７の内側に向けてかしめた間に係止部２６ｃを挟むことにより係止部材２６を溝部２７の長手方向に移動しないように固定する。なお、固定片２９は、図５（ｂ）では、対向する各鍔片２７ａに対向して係止部２６ｃを挟む位置に二箇所ずつ計四箇所に設けているが、係止部材２６を溝部２７の長手方向に移動しないように固定することができれば、一方の鍔片２７ａの係止部２６ｃを挟む位置に二箇所、あるいは、各鍔片２７ａの対向しない係止部２６ｃを挟む位置にそれぞれ一つずつ計二箇所設けられていてもよい。
【００２９】
上記の如く、ガイドレール１３に固定される係止部材２６は、取付板１２ｂの長手方向に沿って複数併設された取付穴部２５の位置に対応して複数設けられる。また、係止部材２６は、上述のように溝部２７に係止部２６ｃを別体で挿通係止する構成の他、例えば、柱部２６ａをガイドレール１３側に溶接、ネジ込みなどにより一体に固定する構成であってもよい。なお、本実施の形態では、係止部材２６が設けられたガイドレール１３を構成要素の他方とする。
【００３０】
そして、内枠１２の取付板１２ｂに設けられた取付穴部２５の大径穴２５ａに対し、ガイドレール１３に設けられた係止部材２６の頭部２６ｂを挿通し、柱部２６ａを小径穴２５ｂ側にスライドさせる。これにより、頭部２６ｂが小径穴２５ｂに係止されて構成要素の一方である取付板１２ｂに、構成要素の他方であるガイドレール１３が取り付けられる。その後、ガイドレール１３の一部を内枠１２の取付板１２ａに固定具であるネジ３０で固定すれば、ガイドレール１３が内枠１２に固定される。なお、ガイドレール１３のネジ３０による固定は、取付板１２ｂ側であってもよい。このネジ３０は、係止部材２６が取付穴部２５に対して移動しないように規制するものであり、最低一箇所に設ければよい。
【００３１】
なお、取付穴部２５に関し、大径穴２５ａおよび小径穴２５ｂが円形でなく、大径穴２５ａが係止部材２６の頭部２６ｂを通し、小径穴２５ｂが柱部２６ａを通して、頭部２６ｂが小径穴２５ｂに通らない構成や形状であればよい。また、係止部材２６に関し、柱部２６ａが円柱状でなく、頭部２６ｂが円板状でなく、頭部２６ｂが大径穴２５ａに通って小径穴２５ｂに通らず、柱部２６ａが小径穴２５ｂに通る構成や形状であればよい。
【００３２】
また、頭部２６ｂが小径穴２５ｂに係止されて、取付板１２ｂにガイドレール１３が取り付けられた際、バネ片２６ｄが取付板１２ｂの面に接触し、取付板１２ｂとガイドレール１３との間にバネ片２６ｄが介在される。なお、上述の構成では、弾性部材としてバネ片２６ｄを採用しているが、この弾性部材はゴム材など弾性を有するものであれば限定はない。また、弾性部材は、係止部材２６に設けられているが、互いに取り付けられる間に介在されればよく、ガイドレール１３の上面、あるいは、取付板１２ｂの下面に設けられていてもよい。
【００３３】
したがって、このように構成された取付構造では、取付穴部２５に係止部材２６を係止するだけで、構成要素の一方である取付板１２ｂに、構成要素の他方であるガイドレール１３を取り付けることが可能である。これにより、着脱が容易となり作業性を向上することができる。特に、ガイドレール１３が壁内にも収納される開閉装置の場合では、従来の如くガイドレール１３をネジ止するための工具がネジに届かないおそれがあるが、上記構成によればそのような不都合を無くすことができる。
【００３４】
また、互いに取り付けられた取付板１２ｂとガイドレール１３との間に弾性部材であるバネ片２６ｄが介在されることにより、その弾性力により取り付け保持がより確実となり、引戸本体４が移動する際の振動が吸収されて振動音を低減することができる。なお、弾性部材であるバネ片２６ｄは、取付板１２ｂとガイドレール１３との間に隙間が生じない寸法精度となるように柱部２６ａの長さが設計されていれば、必ずしも要することはない。この場合に対応するため、バネ片２６ｄが適宜取り外し可能とされていることが好ましい。
【００３５】
また、係止部材２６が、ガイドレール１３の溝部２７に挿通して設ける構成により、取付構造自体の施工が容易である。
【００３６】
ところで、上述した実施の形態では、内枠１２の取付板１２ｂに取付穴部２５を設けてガイドレール１３の上面に係止部材２６を設けているが、内枠の取付板１２ａに取付穴部２５を設けて対向するガイドレール１３の側面に係止部材２６を設けてもよい。また、上述した実施の形態では、取付穴部２５を設ける構成要素の一方を内枠１２側として係止部材２６を設ける構成要素の他方をガイドレール１３としているが、逆に構成要素の一方をガイドレール１３として構成要素の他方を内枠１２としてもよい。
【００３７】
また、上述した取付構造は、内枠１２とガイドレール１３との取り付けの他、吊下部材１８と引戸本体４との取り付けに採用してもよい。
【００３８】
また、上述した取付構造は、上吊式開閉装置である上吊引戸１に採用した例であるが、その他、例えば、スライディングウォールあるいはシャッターのガイドレールや枠部材などを建物側に取り付ける場合など、他の上吊式開閉装置あるいは上吊式でない開閉装置の枠部材やレール部材の取付構造などに採用してもよい。
【００３９】
なお、上述した実施の形態では、上吊引戸のガイドレール１３が水平に取り付けられる上吊式開閉装置を図示して説明したが、例えば、引戸本体４の閉鎖側に下り傾斜するなどガイドレール１３が傾斜して取り付けられていてもよい。この場合、取付穴部２５の、大径穴２５ａが傾斜の上流側に設けられて、小径穴２５ｂが傾斜の下流側に設けられていることが好ましい。
【００４０】
【発明の効果】
以上説明したように本発明による取付構造は、大径穴に係止手段の頭部を挿通し、柱部を小径穴側にスライドさせることにより、頭部が小径穴に係止されて構成要素の一方に、構成要素の他方が取り付けられる。これにより、着脱が容易となり作業性を向上することができる。
【００４１】
また、互いに取り付けられた構成要素の一方と構成要素の他方との間に、弾性部材が介在されていることにより、その弾性力によって取り付け保持がより確実となり、各構成要素間の振動が吸収されて振動音を低減することができる。
【００４２】
また、係止手段の係止部を構成要素の他方に設けられた長手状の溝部に係止して、固定手段によって係止部を溝部に対して固定するため、取付構造自体を容易に施工することができる。
【００４３】
また、開口部を開閉する開閉体を移動可能にして吊り下げ支持する駆動ユニット、および前記駆動ユニットを固定する固定体を有する上吊式開閉装置では、駆動ユニットを固定体に対して容易に着脱することができ作業性が向上する。また、駆動ユニットと固定体との間に弾性部材が介在されていれば、その弾性力により取り付け保持がより確実となり、開閉体の移動に際する振動を吸収して振動音を低減することができる。また、係止手段を長手方向に沿った溝部に挿通して固定する構成とすれば取付構造自体の施工が容易となる。
【図面の簡単な説明】
【図１】本発明の取付構造が採用された上吊引戸を示す斜視図。
【図２】取付構造を示す図１中のＡ−Ａ線拡大断面図。
【図３】図２中のＢ−Ｂ線一部断面図。
【図４】取付構造を示す分解斜視図。
【図５】（ａ）固定手段を示す断面図。
（ｂ）別の固定手段を示す斜視図。
【符号の説明】
１２…内枠（固定体）、１３…ガイドレール（駆動ユニット）、２５…取付穴部、２５ａ…大径穴、２５ｂ…小径穴、２６…係止部材（係止手段）、２６ａ…柱部、２６ｂ…頭部、２６ｃ…係止部、２６ｄ…バネ片（弾性部材）、２７…溝部、２８…固定ネジ（固定手段）、２９…固定片（固定手段）。
【図１】
0003741058.tif 000002
【図２】
0003741058.tif 000003
【図３】
0003741058.tif 000004
【図４】
0003741058.tif 000005
【図５】
0003741058.tif 000006